【手続補正書】
【提出日】平成27年6月11日(2015.6.11)
【手続補正１】
【補正対象書類名】特許請求の範囲
【補正対象項目名】全文
【補正方法】変更
【補正の内容】
【特許請求の範囲】
【請求項１】
イオン伝導性要素と、
２またはそれ以上の電極コーティングと、
１またはそれ以上の燃料電池接続要素とを有する燃料電池において、
上記燃料電池接続要素は、
第１の表面および第２の表面を具備する非伝導性インターフェース領域であって、当該インターフェース領域の上記第１の表面が上記イオン伝導性要素と接触する、上記非伝導性インターフェース領域と、
電子伝導性要素であって、２つの表面と当該電子伝導性要素のこれら２つの表面と平行な長さとを具備し、当該電子伝導性要素のこれら表面の一方が上記インターフェース領域の上記第２の表面と隣接して配置される、上記電子伝導性要素とを有し、
上記電子伝導性要素は、
上記電子伝導性要素のこれら２つの表面にほぼ平行に配位され、上記電極コーティングの１つに対して９０°より小さな角度で配位される伝導性ファイバを有し、
上記燃料電池接続要素が、上記電極コーティングの上記１つと、外部回路との間に、または、上記電極コーティングの上記１つと、他の燃料電池の電極コーティングとの間に、電気的な伝導経路を実現し、かつ、上記経路が上記電子伝導要素の長さに沿って伸びることを特徴とする、上記燃料電池。
【請求項２】
上記伝導性ファイバは上記電極コーティングの上記１つに対して２２°および６８°の間の角度で配位されるように適合化される請求項１記載の燃料電池。
【請求項３】
上記伝導性ファイバは少なくとも第１組の伝導性ファイバおよび第２組の伝導性ファイバを有し、上記第１組および第２組の弾道性ファイバの双方は上記燃料電池内の上記少なくとも１つの電極に対して９０°よりも小さい角度で配位され、上記第１組の導電性ファイバおよび上記第２組の導電性ファイバは、上記第１組の伝導性ファイバが上記第２組の伝導性ファイバとの間で４５°から１３５°の角度を形成するように配位される請求項１または２のいずれかに記載の燃料電池。
【請求項４】
上記電子伝導性要素は、第１の電気伝導性材料であって、上記電子伝導性要素の上記２つの表面にほぼ平行に配位され、かつ、上記燃料電池の上記電極コーティングの上記１つに対して９０°より小さな角度で配位される伝導性ファイバを有する上記第１の電気伝導性材料を有する第１の電子伝導性領域と、第２の電気伝導性材料であって、上記電子伝導性要素の上記２つの表面にほぼ平行に配位され、かつ、上記燃料電池の上記電極コーティングの上記１つに対して９０°より小さな角度で配位される伝導性ファイバを有する上記第２の電気伝導性材料を有する第２の電子伝導性領域とを有し、
上記第１の電気伝導性材料は腐食抵抗性であり、上記第２の電気伝導性材料の伝導性は上記第２の電気伝導性材料の伝導性より大きい請求項１〜３のいずれかに記載の燃料電池。
【請求項５】
燃料電池層において、
上記燃料電池層は第１の表面および第２の表面を具備する複合層を有し、
上記複合層は、
複数の燃料電池接続要素と、
上記燃料電池接続要素の間に位置決めされる、複数のイオン伝導性要素と、
上記第１の表面に配置されてアノードを形成する第１の複数の電極コーティングと、
上記第２の表面に配置されてカソードを形成する第２の複数の電極コーティングとを有し、
上記第１および第２の複数の電極コーティングの各々は上記イオン伝導性要素の１つとイオン的に接触し、上記燃料電池接続要素の１つに電気的に接触し、
上記燃料電池接続要素の少なくとも１つは、
第１の表面および第２の表面を具備し、上記第１の表面が上記イオン伝導性要素の１つと接触する、インターフェース領域と、
少なくとも１つの電子伝導性要素であって、２つの表面とこれら２つの表面と平行な長さとを具備し、これら表面の一方が上記インターフェース領域の上記第２の表面と隣接して配置される、上記少なくとも１つの電子伝導性要素とを有し、
上記少なくとも１つの電子伝導性要素は、
上記少なくとも１つの電子伝導性要素のこれら２つの表面にほぼ平行に配位され、上記第１または第２の複数の電極コーティングの少なくとも１つに対して約９０°より小さな角度で配位される伝導性ファイバを有し、
上記少なくとも１つの燃料電池接続要素が、上記第１または第２の複数の電極コーティングの上記少なくとも１つと、上記第１または第２の複数の電極コーティングのうちの異なる１つとの間に、電気的な伝導経路を実現し、かつ、上記経路が上記少なくとも１つの電子伝導要素の長さに沿って伸びることを特徴とする、上記燃料電池層。
【請求項６】
上記伝導性ファイバは上記電極コーティングの上記少なくとも１つに対して２２°および６８°の間の角度で配位されるように適合化される請求項５記載の燃料電池層。
【請求項７】
上記伝導性ファイバは少なくとも第１組の伝導性ファイバおよび第２組の伝導性ファイバを有し、上記第１組および第２組の弾道性ファイバの双方は上記燃料電池内の上記少なくとも１つの電極に対して９０°よりも小さい角度で配位され、上記第１組の導電性ファイバおよび上記第２組の導電性ファイバは、上記第１組の伝導性ファイバが上記第２組の伝導性ファイバとの間で４５°から１３５°の角度を形成するように配位される請求項５または６のいずれかに記載の燃料電池層。
【請求項８】
第１の表面および第２の表面を具備する非伝導性インターフェース領域と、
電子伝導性要素であって、２つの表面と当該電子伝導性要素のこれら２つの表面と平行な長さとを具備し、当該電子伝導性要素のこれら表面の一方が上記インターフェース領域の上記第２の表面と隣接して配置される、上記電子伝導性要素とを有する燃料電池接続要素において、
上記電子伝導性要素は、
上記電子伝導性要素のこれら２つの表面にほぼ平行に配位され、燃料電池内の少なくとも１つの電極に対して９０°より小さな角度で配位されるように適合化される伝導性ファイバと、
バインダとを有し、
上記バインダは上記インターフェース領域と上記電子伝導性領域とを一緒に保持し、
上記燃料電池接続要素が、上記燃料電池の上記少なくとも１つの電極と、外部回路との間に、または、上記燃料電池の上記少なくとも１つの電極と、異なる燃料電池の少なくとも１つの電極との間に、電気的な伝導経路を実現し、かつ、上記経路が上記電子伝導要素の長さに沿って伸びるように、上記燃料電池接続要素が上記燃料電池内で使用されるように適合化されることを特徴とする、上記燃料電池接続要素。
【請求項９】
上記伝導性ファイバは上記燃料電池の上記少なくとも１つの電極に対して２２°および６８°の間の角度で配位されるように適合化される請求項８記載の燃料電池接続要素。
【請求項１０】
上記伝導性ファイバは少なくとも第１組の伝導性ファイバおよび第２組の伝導性ファイバを有し、上記第１組および第２組の弾道性ファイバの双方は上記燃料電池内の上記少なくとも１つの電極に対して９０°よりも小さい角度で配位されるように適合化され、上記第１組の導電性ファイバおよび上記第２組の導電性ファイバは、上記第１組の伝導性ファイバが上記第２組の伝導性ファイバとの間で４５°から１３５°の角度を形成するように配位される請求項８または９のいずれかに記載の燃料電池接続要素。
【請求項１１】
上記伝導性ファイバは少なくとも第１組の伝導性ファイバおよび第２組の伝導性ファイバを有し、上記第１組および第２組の弾道性ファイバの双方は上記燃料電池内の上記少なくとも１つの電極に対して９０°よりも小さい角度で配位されるように適合化され、上記第１組の導電性ファイバおよび上記第２組の導電性ファイバは、上記第１組の伝導性ファイバが上記第２組の伝導性ファイバとの間で９０°の角度を形成するように配位される請求項８〜１０のいずれかに記載の燃料電池接続要素。